【手続補正書】
【提出日】平成19年9月5日(2007.9.5)
【手続補正１】
【補正対象書類名】特許請求の範囲
【補正対象項目名】全文
【補正方法】変更
【補正の内容】
【特許請求の範囲】
【請求項１】
コンテンツデータの送信に対する要求に応答する通信装置であって、前記コンテンツデータの送信を要求する要求元との間で認証情報を共有する認証手段と、前記認証情報を使用して生成した測定要求を、前記要求元に送信する測定要求送信手段と、前記要求元で共有されている認証情報を使用して生成される測定応答を、前記測定要求に対する応答として前記要求元から受信する測定応答受信手段と、前記測定要求を送信してから前記測定応答を受信するまでの時間を、往復遅延時間として測定する往復遅延時間測定手段と、前記往復遅延時間の測定後に、前記往復遅延時間が基準値以下であり、前記測定応答が正しいと検証され、かつ前記要求元において前記測定要求が正しいと検証されたことを確認した場合は、前記要求元が前記コンテンツデータの送信先として適確な装置であると判定する判定手段とを備えることを特徴とする通信装置。
【請求項２】
前記通信装置は、さらに、前記測定要求を送信する前に、前記測定応答の生成に要する下準備を要求する測定準備要求を、前記要求元に送信する測定準備要求送信手段を備えることを特徴とする請求項１に記載の通信装置。
【請求項３】
前記判定手段は、前記認証情報を使用して生成した第１の検証情報と、前記要求元で前記認証情報を使用して生成された第２の検証情報とが一致する場合は、前記測定応答が正しいこと検証することを特徴とする請求項２に記載の通信装置。
【請求項４】
前記認証情報は、前記要求元が往復遅延時間の測定に対応する機能を有するか否かが特定されるフラグと、前記フラグに対する証明情報とを含み、
前記通信装置は、さらに、前記フラグに基づいて、前記要求元が往復遅延時間の測定に応じる機能を有するか否かを判断する測定機能判断手段を備え、前記測定準備要求送信手段は、前記機能を有する場合は、前記測定準備要求を送信し、前記機能を有しない場合は、前記測定準備要求を送信しないことを特徴とする請求項３に記載の通信装置。
【請求項５】
前記通信装置は、さらに、前記要求元が前記コンテンツデータの送信先として適確な装置である場合は、前記要求元が識別される装置識別情報を一覧表に登録する登録手段と、前記測定準備要求を前記要求元に送信する前に、前記装置識別情報とが前記一覧表に登録されているか否かを確認する登録確認手段とを備え、前記測定準備要求送信手段は、前記一覧表に登録されている場合は、前記測定準備要求を送信せず、前記一覧表に登録されていない場合は、前記測定準備要求を送信することを特徴とする請求項３に記載の通信装置。
【請求項６】
前記通信装置は、さらに、前記装置識別情報に設定された登録有効期間が経過すると、前記装置識別情報の登録を解除する登録解除手段を備えることを特徴とする請求項５に記載の通信装置。
【請求項７】
前記要求元は、前記下準備として、前記測定準備要求を受信してから前記測定要求を受信するまでの間に、前記要求元との間で共有する認証情報を使用して、要求元情報を生成し、前記要求元情報を分割して第１の要求元部分情報と第２の要求元部分情報とを生成する場合において、
前記通信装置は、さらに、前記認証情報を使用して、前記要求元情報と共通する要求先情報を生成し、前記要求先情報を分割して第１の要求先部分情報と第２の要求先部分情報とを生成する測定準備手段と、前記第２の要求元部分情報と前記第１の要求先部分情報とが一致する場合は、前記測定応答の送信元が真正の要求元であると判断する要求元検証手段とを備え、
前記測定応答受信手段は、前記第２の要求元部分情報を含む応答を、前記測定応答として前記要求元から受信することを特徴とする請求項３に記載の通信装置。
【請求項８】
前記要求元は、前記第２の要求先部分情報と前記第１の要求元部分情報とが一致する場合は、前記測定要求の送信元が真正の要求先であると判断し、前記第２の検証情報を生成する場合において、前記検証手段は、前記測定要求の送信元が真正の要求先であるか否かを検証することを要求する検証要求を、前記要求元に送信する検証要求送信手段と、前記第２の検証情報を含む検証応答を、前記検証要求に対する応答として前記要求元から受信する検証応答受信手段とを備え、
前記測定要求送信手段は、前記第２の要求先部分情報を含む要求を、前記測定要求として前記要求元に送信することを特徴とする請求項７に記載の通信装置。
【請求項９】
前記通信装置は、さらに、前記装置識別情報の登録を解除するまでの残り時間に基づいて、前記往復遅延時間の測定を開始するか否かを判定する測定開始判定手段と、前記残り時間が所定の時間以下である場合に、測定開始要求を前記要求元に送信する測定開始要求送信手段と、前記測定開始要求に対する応答として測定開始応答を前記要求元から受信する測定開始応答受信手段とを備え、
前記認証手段は、前記測定開始応答を前記要求元から受信した後に、前記要求元との間で認証情報を共有することを特徴とする請求項６に記載の通信装置。
【請求項１０】
前記通信装置は、さらに、前記往復遅延時間の測定を開始するか否かを判定する測定開始判定手段と、前記往復遅延時間の測定を開始する場合は、前記往復遅延時間の測定を開始することを通知する測定開始要求を、前記要求元に送信する測定開始要求送信手段と、前記測定開始要求に対する応答として測定開始応答を前記要求元から受信する測定開始応答受信手段とを備え、
前記認証手段は、前記測定開始応答を前記要求元から受信した後に、前記要求元との間で認証情報を共有することを特徴とする請求項１に記載の通信装置。
【請求項１１】
前記通信装置は、さらに、前記往復遅延時間の測定を開始することを要求する測定開始要求を前記要求元から受信する測定開始要求受信手段と、前記測定開始要求に対する応答として測定開始応答を前記要求元に送信する測定開始応答送信手段とを備え、
前記認証手段は、前記測定開始応答を前記要求元に送信した後に、前記要求元との間で認証情報を共有することを特徴とする請求項１に記載の通信装置。
【請求項１２】
コンテンツデータの送信を要求する通信装置であって、前記コンテンツデータの送信に対する要求に応答する要求先との間で認証情報を共有する認証手段と、前記要求先で共有されている認証情報を使用して生成された測定要求を、前記要求先から受信する測定要求受信手段と、前記認証情報を使用して生成した測定応答を、前記測定要求に対する応答として前記要求先に折り返し送信する測定応答送信手段と、前記測定要求が正しいか検証する判定手段とを備えることを特徴とする通信装置。
【請求項１３】
前記通信装置は、さらに、前記測定要求を受信する前に、前記測定応答の生成に要する下準備を要求する測定準備要求を、前記要求先から受信する測定準備要求受信手段を備えることを特徴とする請求項１２に記載の通信装置。
【請求項１４】
前記要求先は、前記要求元との間で共有する認証情報を使用して、要求先情報を生成し、前記要求先情報を分割して第１の要求先部分情報と第２の要求先部分情報とを生成する場合において、前記通信装置は、さらに、前記下準備として、前記測定準備要求を受信してから前記測定要求を受信するまでの間に、前記認証情報を使用して、前記要求先情報と共通する要求元情報を生成し、前記要求元情報を分割して第１の要求元部分情報と第２の要求元部分情報とを生成する測定準備手段と、前記測定要求の送信元が真正の要求先であるか否かを検証することを要求する検証要求を、前記要求先から受信する検証要求受信手段と、前記第２の要求先部分情報と前記第１の要求元部分情報とが一致する場合は、前記測定要求の送信元が真正の要求先であると判断する要求先検証手段と、前記測定要求の送信元が真正の要求先である場合は、前記認証情報を使用して、前記要求先との間で前記往復遅延時間の測定が行われたことを通知する検証情報を生成する検証情報生成手段と、前記検証情報を含む検証応答を、前記検証要求に対する応答として前記要求先に送信する検証応答送信手段とを備え、
前記測定要求受信手段は、前記第２の要求先部分情報を含む要求を、前記測定要求として前記要求先から受信することを特徴とする請求項１３に記載の通信装置。
【請求項１５】
前記要求先は、前記第２の要求元部分情報と前記第１の要求先部分情報とが一致する場合は、前記測定応答の送信元が真正の要求元であると判断する場合において、前記測定応答送信手段は、前記第２の要求元部分情報を含む応答を、前記測定応答として前記要求先に送信することを特徴とする請求項１４に記載の通信装置。
【請求項１６】
前記通信装置は、さらに、前記往復遅延時間の測定を開始させるか否かを判定する測定開始判定手段と、前記往復遅延時間の測定を開始させる場合は、前記往復遅延時間の測定を開始させることを要求する測定開始要求を前記要求先に送信する測定開始要求送信手段と、前記測定開始要求に対する応答として測定開始応答を前記要求先から受信する測定開始応答受信手段とを備え、
前記認証手段は、前記測定開始応答を前記要求先から受信した後に、前記要求先との間で認証情報を共有することを特徴とする請求項１２に記載の通信装置。
【請求項１７】
前記測定開始判定手段は、前記コンテンツデータの受信が終了したか否かを判定し、前記測定開始要求送信手段は、前記コンテンツデータの受信が終了した場合は、前記測定開始要求を前記要求先に送信することを特徴とする請求項１６に記載の通信装置。
【請求項１８】
前記通信装置は、さらに、前記コンテンツデータの送信に使用される鍵を交換する鍵交換手段を備え、
前記測定開始判定手段は、認証してから鍵を交換するまでの間に、前記往復遅延時間が測定されたか否かを判定し、前記測定開始要求送信手段は、前記往復遅延時間が測定されなかった場合は、前記鍵を交換した後に、前記測定開始要求を前記要求先に送信することを特徴とする請求項１６に記載の通信装置。
【請求項１９】
前記通信装置は、さらに、前記往復遅延時間の測定を開始することを通知する測定開始要求を前記要求先から受信する測定開始要求受信手段と、前記測定開始要求に対する応答として測定開始応答を前記要求先に送信する測定開始応答送信手段とを備え、
前記認証手段は、前記測定開始応答を前記要求先に送信した後に、前記要求先との間で認証情報を共有することを特徴とする請求項１２に記載の通信装置。
【請求項２０】
データ通信網を介して相互に接続されている請求項１に記載の通信装置と請求項１２に記載の通信装置とを備えることを特徴とする通信システム。
【請求項２１】
コンテンツデータの送信に対する要求に応答する要求先の通信装置と、前記コンテンツデータの送信を要求する要求元の通信装置との間の通信を制御する通信方法であって、前記要求先において、前記要求元との間で認証情報を共有する要求先認証ステップと、前記要求元において、前記要求先との間で認証情報を共有する要求元認証ステップと、前記要求先において、前記認証情報を使用して生成した測定要求を、前記要求元に送信する測定要求送信ステップと、前記要求元において、前記要求先で共有されている認証情報を使用して生成された測定要求を、前記要求先から受信する測定要求受信ステップと、前記要求元において、前記認証情報を使用して生成した測定応答を、前記測定要求に対する応答として前記要求先に折り返し送信する測定応答送信ステップと、前記要求先において、前記要求元で共有されている認証情報を使用して生成される測定応答を、前記測定要求に対する応答として前記要求元から受信する測定応答受信ステップと、前記要求先において、前記測定要求を送信してから前記測定応答を受信するまでの時間を、往復遅延時間として測定する往復遅延時間測定手段と、前記要求先において、前記測定要求を送信する前に、前記測定応答の生成に要する下準備を要求する測定準備要求を、前記要求元に送信する測定準備要求送信ステップと、前記要求元において、前記測定要求を受信する前に、前記測定応答の生成に要する下準備を要求する測定準備要求を、前記要求先から受信する測定準備要求受信ステップと、前記要求先において、前記往復遅延時間の測定後に、前記往復遅延時間が基準値以下であり、前記測定応答が正しいと検証され、かつ前記要求元において前記測定要求が正しいと検証された場合は、前記要求元を前記コンテンツデータの送信先として適格な装置であると判定する判定ステップとを含むことを特徴とする通信方法。
【手続補正２】
【補正対象書類名】明細書
【補正対象項目名】発明の名称
【補正方法】変更
【補正の内容】
【発明の名称】通信装置、通信システム、通信方法
【手続補正３】
【補正対象書類名】明細書
【補正対象項目名】００２０
【補正方法】変更
【補正の内容】
【００２０】
上記目的を達成するために、本発明に係る通信装置は、コンテンツデータの送信に対する要求に応答する通信装置であって、前記コンテンツデータの送信を要求する要求元との間で認証情報を共有する認証手段と、前記認証情報を使用して生成した測定要求を、前記要求元に送信する測定要求送信手段と、前記要求元で共有されている認証情報を使用して生成される測定応答を、前記測定要求に対する応答として前記要求元から受信する測定応答受信手段と、前記測定要求を送信してから前記測定応答を受信するまでの時間を、往復遅延時間として測定する往復遅延時間測定手段と、前記往復遅延時間の測定後に、前記往復遅延時間が基準値以下であり、前記測定応答が正しいと検証され、かつ前記要求元において前記測定要求が正しいと検証されたことを確認した場合は、前記要求元が前記コンテンツデータの送信先として適確な装置であると判定する判定手段とを備える通信装置である。
【手続補正４】
【補正対象書類名】明細書
【補正対象項目名】００２１
【補正方法】変更
【補正の内容】
【００２１】
また、本発明に係る通信方法は  コンテンツデータの送信に対する要求に応答する要求先の通信装置と、前記コンテンツデータの送信を要求する要求元の通信装置との間の通信を制御する通信方法であって、前記要求先において、前記要求元との間で認証情報を共有する要求先認証ステップと、前記要求元において、前記要求先との間で認証情報を共有する要求元認証ステップと、前記要求先において、前記認証情報を使用して生成した測定要求を、前記要求元に送信する測定要求送信ステップと、前記要求元において、前記要求先で共有されている認証情報を使用して生成された測定要求を、前記要求先から受信する測定要求受信ステップと、前記要求元において、前記認証情報を使用して生成した測定応答を、前記測定要求に対する応答として前記要求先に折り返し送信する測定応答送信ステップと、前記要求先において、前記要求元で共有されている認証情報を使用して生成される測定応答を、前記測定要求に対する応答として前記要求元から受信する測定応答受信ステップと、前記要求先において、前記測定要求を送信してから前記測定応答を受信するまでの時間を、往復遅延時間として測定する往復遅延時間測定手段と、前記要求先において、前記測定要求を送信する前に、前記測定応答の生成に要する下準備を要求する測定準備要求を、前記要求元に送信する測定準備要求送信ステップと、前記要求元において、前記測定要求を受信する前に、前記測定応答の生成に要する下準備を要求する測定準備要求を、前記要求先から受信する測定準備要求受信ステップと、前記要求先において、前記往復遅延時間の測定後に、前記往復遅延時間が基準値以下であり、前記測定応答が正しいと検証され、かつ前記要求元において前記測定要求が正しいと検証された場合は、前記要求元を前記コンテンツデータの送信先として適格な装置であると判定する判定ステップとを含む通信方法としても構わない。
【手続補正５】
【補正対象書類名】明細書
【補正対象項目名】００２２
【補正方法】削除
【補正の内容】
【手続補正６】
【補正対象書類名】明細書
【補正対象項目名】００２３
【補正方法】削除
【補正の内容】
【手続補正７】
【補正対象書類名】明細書
【補正対象項目名】００２４
【補正方法】削除
【補正の内容】
【手続補正８】
【補正対象書類名】明細書
【補正対象項目名】００２５
【補正方法】削除
【補正の内容】
【手続補正９】
【補正対象書類名】明細書
【補正対象項目名】００２６
【補正方法】削除
【補正の内容】
【手続補正１０】
【補正対象書類名】明細書
【補正対象項目名】００２７
【補正方法】削除
【補正の内容】
【手続補正１１】
【補正対象書類名】明細書
【補正対象項目名】００２８
【補正方法】削除
【補正の内容】
【手続補正１２】
【補正対象書類名】明細書
【補正対象項目名】００２９
【補正方法】削除
【補正の内容】
【手続補正１３】
【補正対象書類名】明細書
【補正対象項目名】００３０
【補正方法】削除
【補正の内容】
【手続補正１４】
【補正対象書類名】明細書
【補正対象項目名】００３１
【補正方法】削除
【補正の内容】